(57)【特許請求の範囲】
【請求項１】
架台(2) の一端部に略垂直な背当て部(5) を有し、架台(2) 上の他端部に配設されたエンジン(10)により駆動される遠心ブロワ(20)を架台(2) の背当て部(5) 側に取着し、背当て部(5) と遠心ブロワ(20)のボリュートケース(21)との間に形成された空気取入口(7) をボリュートケース(21)の外周部にほぼ沿って覆うように、防塵ネットを有する防塵カバーを設けた背負い式エンジンブロワの防塵装置において、
前記防塵カバー(30)は、上面部(31)及び左右側面部(32,33) に形成した開口部に防塵ネット(34)を設けた
ことを特徴とする背負い式エンジンブロワの防塵装置。
【請求項２】
架台(2) の一端部に略直立した背当て部(5) を有し、架台(2) 上の他端部に配設されたエンジン(10)により駆動される遠心ブロワ(20)を架台(2) の背当て部(5) 側に取着し、背当て部(5) と遠心ブロワ(20)のボリュートケース(21)との間に形成された空気取入口(7) をボリュートケース(21)の外周部にほぼ沿って覆うように、防塵ネットを有する防塵カバーを設けた背負い式エンジンブロワの防塵装置において、
前記防塵カバー(30a) は、上面部(31)を密閉し、左右側面部(32,33) に形成した開口部に防塵ネット(34)を設けた
ことを特徴とする背負い式エンジンブロワの防塵装置。
【請求項３】
請求項１又は２記載の背負い式エンジンブロワの防塵装置において、
ボリュートケース(21)の空気取入口(7) 側に設けた吸気口(22)の外周部に、手指の吸気口(22)内への進入を防止するガード(40)を設けた
ことを特徴とする背負い式エンジンブロワの防塵装置。
【発明の詳細な説明】
【０００１】
【発明の属する技術分野】
本発明は、背負い式エンジンブロワの吸気口が落ち葉等により閉塞されることを防止する防塵装置に関する。
【０００２】
【従来の技術】
図１は背負い式エンジンブロワ１の作業状態を示す斜視図である。同図において、背負い式エンジンブロワ１は、略直立する背当て部５を有する側面視Ｌ字型の架台２と、架台２に搭載されたエンジン１０と、このエンジン１０の背当て部５側に配設され、かつエンジン１０により駆動される遠心ブロワ２０と、背当て部５に取着された背負いバンド６，６と、遠心ブロワ２０に接続されて遠心ブロワ２０からの風を吹き出す風管３とを備えている。作業者４は、架台２の背当て部５を背中に当て、背負いバンド６，６により背負い式エンジンブロワ１を背負い、風管３を手に持った状態で送風し、風管３の先端部から吹き出される風の力により落ち葉やゴミなどを吹き飛ばして清掃するようにしている。
【０００３】
このような背負い式エンジンブロワの先行技術として、例えば特開平１１−１４８１２１号公報に記載されたものがある。図７は同公報に記載された背負い式エンジンブロワの側面断面図である。同図において、背負い式エンジンブロワ１ｃの架台２に搭載されたエンジン１０のクランク軸１１の先端部には遠心ブロワ２０のファン２３が取着されており、ファン２３は遠心ブロワ２０の外周部のボリュートケース２１で形成されたボリュート室２１ａに内設されている。また、架台２の背当て部５と遠心ブロワ２０のボリュートケース２１との間には、空気取入口７が形成されている。
エンジン１０を駆動すると空気は空気取入口７からボリュートケース２１に設けられた吸気口２２を経てボリュート室２１ａ内に吸入され、ファン２３により外部に排出される。また、その一部は、エンジン１０のシリンダ近傍のボリュートケース２１に設けられた冷却空気送気口２４からエンジン１０に送られ、エンジン１０を冷却するようになっている。
【０００４】
さらに、一般的な背負い式エンジンブロワにおいては、作業中に空中に巻き上げられた落ち葉やゴミ等が空気取入口７に吸引されて背当て部５とボリュートケース２１との間に詰まり、空気の吸入を阻害しないように、空気取入口７の吸入口に防塵ネット３４ｃを有する防塵カバーを設けている。そして、落ち葉等が背当て部５とボリュートケース２１との間に詰まった場合に、作業者４がエンジン１０を駆動した状態で手指を空気取入口７に挿入して、落ち葉やゴミ等を排除しようとすることがあり、このとき手指がファン２３に接触するのを防止するために、吸気口２２の外側に安全ネット５０を取着している。
【０００５】
図８は、従来の一般的な背負い式エンジンブロワの防塵カバーを説明する斜視図である。同図に示すように、架台２と遠心ブロワ２０のボリュートケース２１との間の空気取入口７を覆うように、ボリュートケース２１のほぼ外周部に沿って防塵カバー３０ｃを設け、防塵カバー３０ｃの上面部に形成した開口部に防塵ネット３４ｃを取着している。これにより、落ち葉やゴミ等は防塵ネット３４ｃで阻止されると共に、防塵ネット３４ｃに付着した落ち葉等は外部から手などで払い落とすことができるようになっている。
【０００６】
【発明が解決しようとする課題】
しかしながら、上記従来の背負い式エンジンブロワにおいては、防塵ネット３４ｃは上面にあるため、防塵ネット３４ｃに落ち葉等が載り易く、従って付着し易い。また、防塵カバー３０ｃの開口部は上面のみに形成されているため開口面積が小さく、防塵ネット３４ｃでの空気の流速が早い。このため、防塵ネット３４ｃに付着した落ち葉等は落ちにくいので、落ち葉等により防塵ネット３４ｃが塞がり易い。防塵ネット３４ｃが塞がれたときには、エンジン１０を焼き付かせるおそれがある。
【０００７】
本発明は上記の問題点に着目し、落ち葉等により空気取入口が塞がれることのない背負い式エンジンブロワの防塵装置を提供することを目的としている。
【０００８】
【課題を解決するための手段、作用および効果】
上記の目的を達成するために、本発明は、架台の一端部に略垂直な背当て部を有し、架台上の他端部に配設されたエンジンにより駆動される遠心ブロワを架台の背当て部側に取着し、背当て部と遠心ブロワのボリュート室との間に形成された空気取入口をボリュート室の外周部にほぼ沿って覆うように、防塵ネットを有する防塵カバーを設けた背負い式エンジンブロワの防塵装置において、前記防塵カバーは、上面部及び左右側面部に形成した開口部に防塵ネットを設けた構成としている。
【０００９】
上記構成によれば、防塵ネットは防塵カバーの上面部及び左右両側面部の開口部に設けられているため、従来のものに比して開口面積は大きい。そのため空気の流速は遅く、落ち葉等の付着力は小さいので、防塵ネットに付着した落ち葉等は落ち易く、特に両側面部に付着した落ち葉等は落ち易い。したがって、空気取入口が閉塞されてエンジンが焼き付くというおそれはない。
【００１０】
また本発明は、前記防塵カバーは、上面部を密閉し、左右側面部に形成した開口部に防塵ネットを設けた構成としてもよい。
この構成によれば、防塵ネットは防塵カバーの左右両側面部の開口部に設けられたため、従来のような上面部のみに防塵ネットを設けたものに比して開口面積は大きく、空気の流速は遅いので、防塵ネットへの付着力は弱い。側面部の防塵ネットに付着した落ち葉等は落ち易い。また、落ち葉等の載り易い上面部は密閉カバーになっているため、落ち葉等が載っても空気取入口の空気量の減少がない。したがって、空気取入口が閉塞されてエンジンが焼き付くというおそれはない。
【００１１】
さらに、本発明は、ボリュート室の空気取入口側に設けた吸気口の外周部に、手指の吸気口内への進入を防止するガードを設けた方がよい。
この構成によれば、万一、作業者が手指を防塵ネットの目から空気取入口内に挿入しても、手指がファンに触れる恐れは無い。
【００１２】
【発明の実施の形態】
以下に本発明に係る背負い式エンジンブロワの防塵装置の実施形態について、図面を参照して詳述する。
【００１３】
図２は、第１実施形態の背負い式エンジンブロワ１の側面図である。尚、前記図７と同一の構成要素には同一の符号を付けて説明を省く。
一側に略垂直な背当て部５を有する架台２には、背当て部５側に遠心ブロワ２０が取着され、遠心ブロワ２０をはさんで背当て部５と反対側にエンジン１０が搭載されている。背当て部５と遠心ブロワ２０のボリュートケース２１との間には、空気取入口７が形成されている。また、背当て部５とボリュートケース２１との間には、ボリュートケース２１のほぼ外周に沿って、防塵カバー３０が空気取入口７を覆うように取着されている。
図３は、防塵カバー３０の斜視図である。同図に示すように、防塵カバー３０は逆Ｕ字形状をなす枠体を有し、この枠体の上面部３１及び左右の側面部３２，３３の内部には防塵ネット３４が設けられている。
【００１４】
図４は、第１実施形態の背負い式エンジンブロワ１の側面断面図である。ボリュートケース２１の空気取入口７側の略中央部に設けられた吸気口２２には、その外周部に沿って空気取入口７側に突出した環状のガード４０がボルト４１により締着されている。ガード４０の断面形状は先端部が滑らかな凸状の空気流抵抗が小さくなるような曲線となっており、吸気口２２に空気をスムーズに導入し易い形状となっている。また、ガード４０の先端部と背当て部５との隙間Ｓは、手指が入らない寸法に設定されている。
【００１５】
本発明に係る背負い式エンジンブロワ１によると、防塵ネット３４が空気取入口７の略全周即ち上記では空気取入口７の上面部及び左右側面部を覆うように設けられているので、防塵ネット３４の開口面積は大きく、したがって通過する空気の流速は遅くなる。そのため落ち葉等は防塵ネット３４に付着しにくくなり、またたとえ付着しても落下し易くなる。特に両側面部に付着した落ち葉等は、落下し易い。また、付着力が弱いので、手で払い落とすことも容易にできる。したがって、空気取入口７が閉塞されてエンジン１０が焼き付くというおそれがなくなる。また、ガード４０の先端部と背当て部５との隙間Ｓを手指が入らない寸法にしたので、万一防塵ネット３４の目から手指等が挿入されても手指がファン２３に触れることはない。
【００１６】
図５は、第２実施形態の背負い式エンジンブロワ１ａの側面図である。第１実施形態と同一構成要素には同一符号を付して説明は省略し、異なる部分についてのみ説明する。
背当て部５と遠心ブロワ２０のボリュートケース２１との間には、防塵カバー３０ａが取着されている。図６は、本実施形態の防塵カバー３０ａの斜視図である。同図に示すように、防塵カバー３０ａの上面部３１は密閉されており、左右の側面部３２，３３のみに開口部が形成されて防塵ネット３４，３４が設けられている。
【００１７】
本実施形態では、防塵カバー３０ａの上面部を密閉したため、上面に落ち葉等が溜まっても空気取入口７からの空気量の減少が無いので、エンジン１０の焼き付きは発生しない。その他の作用及び効果については第１実施形態と同一なので説明は省略する。
【００１８】
以上説明したように、本発明によると、防塵ネットは防塵カバーの上面部及び左右両側面部の開口部に、或いは左右両側面部の開口部のみに設けられているため、従来のものに比して開口面積は大きい。そのため空気の流速は遅く、落ち葉等の付着力は小さいので、防塵ネットに付着した落ち葉等は落ち易く、特に両側面部に付着した落ち葉等は落ち易い。したがって、空気取入口が閉塞されてエンジンが焼き付くというおそれはない。
【図面の簡単な説明】
【図１】背負い式エンジンブロワの作業状態を示す斜視図である。
【図２】第１実施形態の背負い式エンジンブロワの側面図である。
【図３】第１実施形態の防塵カバーの斜視図である。
【図４】第１実施形態の背負い式エンジンブロワの側面断面図である。
【図５】第２実施形態の背負い式エンジンブロワの側面図である。
【図６】第２実施形態の防塵カバーの斜視図である。
【図７】従来の背負い式エンジンブロワの側面断面図である。
【図８】従来の背負い式エンジンブロワの防塵カバーを説明する斜視図である。
【符号の説明】
１，１ａ：背負い式エンジンブロワ、２：架台、５：背当て部、７：空気取入口、１０：エンジン、２０：遠心ブロワ、２１：ボリュートケース、２１ａ：ボリュート室、２２：吸気口、２３：ファン、２４：送気口、３０，３０ａ：防塵カバー、３１：上面部、３２，３３：側面部、３４：防塵ネット、４０：ガード。
【図１】
0004361183.tif 000002
【図２】
0004361183.tif 000003
【図３】
0004361183.tif 000004
【図４】
0004361183.tif 000005
【図５】
0004361183.tif 000006
【図６】
0004361183.tif 000007
【図７】
0004361183.tif 000008
【図８】
0004361183.tif 000009